【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
第１のユーザ機器（ＵＥ）における無線通信の方法において、
第１のＵＥにおいて第１のグローバルナビゲーションサテライトシステム（ＧＮＳＳ）に基づくタイミング信号が利用可能であると決定することと、
前記第１のＧＮＳＳに基づくタイミング信号が利用可能であるとき、前記第１のＧＮＳＳに基づくタイミング信号を用いて前記第１のＵＥを同期することと、
前記第１のＧＮＳＳに基づくタイミング信号を用いて前記第１のＵＥが同期されることを示す同期信号を送信することと、ここで、前記同期信号は、物理サイドリンクブロードキャストチャネル（ＰＳＢＣＨ）内にリザーブビットを備え、前記リザーブビットは、前記第１のＵＥが前記第１のＧＮＳＳに基づくタイミング信号に、直接または間接的に、同期されることを示す、
を備える方法。
【請求項２】
前記同期信号は固定された同期シーケンスを備える、請求項１の方法。
【請求項３】
前記第１のＵＥが前記第１のＧＮＳＳに基づくタイミング信号に直接同期されるとき第１の同期オフセットインジケータにより示されるリソース上に前記同期信号が送信される、請求項１の方法。
【請求項４】
前記第１のＵＥが他のＵＥを介して前記第１のＧＮＳＳに基づくタイミング信号に間接的に同期されるとき第２の同期オフセットインジケータにより示されるリソース上に前記同期信号が送信される、請求項１の方法。
【請求項５】
前記同期信号を用いることは固定巡回冗長コード（ＣＲＣ）マスクを前記ＰＳＢＣＨに適用することを備える、請求項１の方法。
【請求項６】
無線通信に関する装置において、
メモリと、
前記メモリに結合され、
第１のグローバルナビゲーションサテライトシステム（ＧＮＳＳ）に基づくタイミング信号が第１のＵＥにおいて利用可能であることを決定し、
前記第１のＧＮＳＳに基づくタイミング信号が利用可能であるとき、前記第１のＧＮＳＳに基づくタイミング信号を用いて前記第１のＵＥを同期し、
前記第１のＧＮＳＳに基づくタイミング信号を用いて前記第１のＵＥが同期されることを示す同期信号を送信する、ここで、前記同期信号は、物理サイドリンクブロードキャストチャネル（ＰＳＢＣＨ）内にリザーブビットを備え、前記リザーブビットは、前記第１のＵＥが前記第１のＧＮＳＳに基づくタイミング信号に、直接または間接的に、同期されることを示す、
ように構成された少なくとも１つのプロセッサと、を備えた装置。
【請求項７】
前記同期信号は固定された同期シーケンスを備える、請求項６の装置。
【請求項８】
前記少なくとも１つのプロセッサはさらに前記第１のＵＥが前記第１のＧＮＳＳに基づくタイミング信号に直接同期されるとき第１の同期オフセットインジケータにより示されるリソース上に前記同期信号を送信するように構成される、請求項６の装置。
【請求項９】
前記少なくとも１つのプロセッサはさらに、前記第１のＵＥが他のＵＥを介して前記第１のＧＮＳＳに基づくタイミング信号に間接的に同期されるとき第２の同期オフセットインジケータにより示されるリソース上に前記同期信号を送信するように構成される、請求項６の装置。
【請求項１０】
前記同期信号を用いることは固定ＣＲＣマスクを前記ＰＳＢＣＨに適用することを備える、請求項６の装置。
【請求項１１】
無線通信のためのコンピュータ実行可能なコードを記憶するコンピュータ可読媒体であって、前記コンピュータ実行可能なコードは、請求項１〜５のうちのいずれか一項の方法を実行するためのコードを備える、コンピュータ可読媒体。
【手続補正２】
【補正対象書類名】明細書
【補正対象項目名】００８５
【補正方法】変更
【補正の内容】
【００８５】
［0095］先の説明は、当業者に、本明細書に説明されたさまざまな態様の実現を可能にさせるために提供されている。これらの態様へのさまざまな変更は、当業者には容易に明らかになり、本明細書で定義される包括的な本質は他の態様に適用され得る。従って、請求項は本明細書で表示される態様に限定されることは意図されておらず、しかし請求項の用語と一貫する全ての範囲が与えられるべきであり、ここにおいて単数形の要素への参照は特別にそのように述べられない限り「１つおよびただ１つ」を意味するように意図されず、むしろ「１つまたは複数の」を意味するように意図される。「典型的（exemplary）」という用語は、ここでは、「例、事例、または実例としての役割を果たす」という意味で用いられる。「典型的」なものとしてここに説明される任意の態様は、必ずしも、他の態様よりも好ましい、または利点を有するものと解釈されるべきではない。そうでないことが特に述べられていない限り、「いくつかの」という用語は、１つ以上のことを指している。「Ａ、Ｂ、またはＣのうちの少なくとも１つ」、「Ａ、Ｂ、およびＣのうちの少なくとも１つ」、および「Ａ、Ｂ、Ｃ、またはこれらの任意の組み合わせ」のような組み合わせは、Ａ、Ｂ、および／またはＣの任意の組み合わせを含み、複数のＡ、複数のＢ、または、複数のＣを含みうる。特に、「Ａ、Ｂ、またはＣのうちの少なくとも１つ」、「Ａ、Ｂ、およびＣのうちの少なくとも１つ」、および「Ａ、Ｂ、Ｃ、またはこれらの任意の組み合わせ」のような組み合わせは、Ａのみ、Ｂのみ、Ｃのみ、ＡとＢ、ＡとＣ、ＢとＣ、またはＡとＢとＣであることができ、ここで、このような任意の組み合わせが、Ａ、Ｂ、またはＣのメンバーあるいは１つまたは複数のメンバーを含みうる。当業者に既知である、あるいは後に知られることになる、本開示全体にわたって説明された様々な態様のエレメントに対する全ての構造的および機能的な均等物は、参照によって本明細書に明確に組み込まれ、特許請求の範囲によって包含されるよう意図されている。さらに、ここで開示したものが、特許請求の範囲中に明示的に列挙されているか否かにかかわらず、公共に捧げられることを意図していない。どの特許請求項の範囲の要素も、要素が明確に「のための手段」というフレーズを使用して記載されていない限り、手段および機能として解釈されるべきではない。
以下に本願の出願当初の特許請求の範囲に記載された発明を付記する。
［Ｃ１］
第１のユーザ機器（ＵＥ）における無線通信の方法において、
第１のＵＥにおいて第１のＧＮＳＳに基づくタイミング信号が利用可能であると決定することと、
前記第１のＧＮＳＳに基づくタイミング信号が利用可能であるとき前記第１のＧＮＳＳに基づくタイミング信号を用いて前記第１のＵＥを同期することと、
前記第１のＧＮＳＳに基づくタイミング信号を用いて前記第１のＵＥが同期されることを示す同期信号を送信することと、を備える方法。
［Ｃ２］
前記同期信号は固定された同期シーケンスを備える、Ｃ１の方法。
［Ｃ３］
前記同期信号はリザーブビットを備える、Ｃ１の方法。
［Ｃ４］
前記リザーブビットは物理サイドリンクブロードキャストチャネル内にある、Ｃ３の方法。
［Ｃ５］
前記リザーブビットは、前記第１のＵＥが前記第１のＧＮＳＳに基づくタイミング信号に直接同期されることを示す、Ｃ３の方法。
［Ｃ６］
前記リザーブビットは、他のＵＥを介して前記第１のＧＮＳＳに基づくタイミング信号に前記第１のＵＥが間接的に同期されることを示す、Ｃ３の方法。
［Ｃ７］
前記第１のＵＥが前記第１のＧＮＳＳに基づくタイミング信号に直接同期されるとき第１の同期オフセットインジケータにより示されるリソース上に前記同期信号が送信される、Ｃ１の方法。
［Ｃ８］
前記第１のＵＥが他のＵＥを介して前記第１のＧＮＳＳに基づくタイミング信号に間接的に同期されるとき第２の同期オフセットインジケータにより示されるリソース上に前記同期信号が送信される、Ｃ１の方法。
［Ｃ９］
前記同期信号を用いることは固定巡回冗長コード（ＣＲＣ）マスクを物理サイドリンクブロードキャストチャネルに適用することを備える、Ｃ１の方法。
［Ｃ１０］
無線通信に関する装置において、
メモリと、
前記メモリに結合され、
第１のＧＮＳＳに基づくタイミング信号が第１のＵＥにおいて利用可能であることを決定し、
前記第１のＧＮＳＳに基づくタイミング信号が利用可能であるとき、前記第１のＧＮＳＳに基づくタイミング信号を用いて前記第１のＵＥを同期し、
前記第１のＧＮＳＳに基づくタイミング信号を用いて前記第１のＵＥが同期されることを示す同期信号を送信する、ように構成された少なくとも１つのプロセッサと、を備えた装置。
［Ｃ１１］
前記同期信号は固定された同期シーケンスを備える、Ｃ１０の装置。
［Ｃ１２］
前記同期信号はリザーブビットを備える、Ｃ１０の装置。
［Ｃ１３］
前記リザーブビットは物理サイドリンクブロードキャストチャネル内にある、Ｃ１２の装置。
［Ｃ１４］
前記リザーブビットは、前記第１のＵＥが前記第１のＧＮＳＳに基づくタイミング信号に直接同期されることを示す、Ｃ１２の装置。
［Ｃ１５］
前記リザーブビットは前記第１のＵＥが他のＵＥを介して前記第１のＧＮＳＳに基づくタイミングに間接的に同期される、Ｃ１２の装置。
［Ｃ１６］
前記少なくとも１つのプロセッサはさらに前記第１のＵＥが前記第１のＧＮＳＳに基づくタイミング信号に直接同期されるとき第１の同期オフセットインジケータにより示されるリソース上に前記同期信号を送信するように構成される、Ｃ１０の装置。
［Ｃ１７］
前記少なくとも１つのプロセッサはさらに、前記第１のＵＥが他のＵＥを介して前記第１のＧＮＳＳに基づくタイミング信号に間接的に同期されるとき第２の同期オフセットインジケータにより示されるリソース上に前記同期信号を送信するように構成される、Ｃ１０の装置。
［Ｃ１８］
前記同期信号を用いることは固定ＣＲＣマスクを物理サイドリンクブロードキャストチャネルに適用することを備える、Ｃ１０の装置。
［Ｃ１９］
第１のＵＥ無線通信のための装置において、前記装置は、
前記第１のＵＥにおいて前記１つまたは複数の同期信号の優先度を示す同期情報を含む１つまたは複数の同期信号を受信する手段と、
前記１つまたは複数の同期信号の優先度を示す前記情報に基づいて前記１つまたは複数の同期信号のいずれに同期するかを決定する手段と、
前記決定された優先順位にもとづいて前記１つまたは複数の同期信号の第１の同期信号に同期する手段と、
前記第１のＵＥが前記第１の同期信号に同期されることを示す同期信号を送信する手段と、を備える装置。
［Ｃ２０］
前記同期信号は固定された同期シーケンスを備える、Ｃ１９の装置。
［Ｃ２１］
前記同期信号はリザーブビットを備える、Ｃ１９の装置。
［Ｃ２２］
前記リザーブビットは物理サイドリンクブロードキャストチャネル内にある、Ｃ２１の装置。
［Ｃ２３］
前記リザーブビットは前記第１のＵＥがＧＮＳＳに基づくタイミング信号に直接同期される、Ｃ２１の装置。
［Ｃ２４］
前記リザーブビットは前記第１のＵＥが他のＵＥを介してＧＮＳＳに基づくタイミング信号に間接的に同期される、Ｃ２１の装置。
［Ｃ２５］
前記同期信号は前記第１のＵＥがＧＮＳＳに基づくタイミング信号に直接同期されるとき第１の同期オフセットインジケータにより示されるリソース上に送信される、Ｃ１９の装置。
［Ｃ２６］
前記同期信号は、他のＵＥを介して前記第１のＵＥがＧＮＳＳに基づくタイミング信号に間接的に同期されるとき第２の同期オフセットインジケータにより示されるリソース上に送信される、Ｃ１９の装置。
［Ｃ２７］
前記同期信号を用いることは固定ＣＲＣマスクを物理サイドリンクブロードキャストチャネルに適用する手段を備える、Ｃ１９の装置。
［Ｃ２８］
無線通信のためのコンピュータ実行可能なコードを記憶するコンピュータ可読媒体において、前記コンピュータ実行可能なコードは、
前記第１のＵＥにおいて１つまたは複数の同期信号の優先度を示す同期情報を含む１つまたは複数の同期信号を受信し、
前記同期信号の前記優先度を示す前記情報に基づいて前記１つまたは複数の同期信号のいずれに同期するかを決定し、
前記決定された優先順位に基づいて前記１つまたは複数の同期信号のうちの第１の同期信号に同期し、
前記第１のＵＥが前記第１の同期信号に同期されることを示す同期信号を送信する、ためのコードを備える、コンピュータ可読媒体。
［Ｃ２９］
第１のＵＥにおける無線通信の方法において、
１つまたは複数の同期信号の優先度を示す同期情報を含む前記１つまたは複数の同期信号を受信することと、
前記同期信号の前記優先度を示す前記情報に基づいて前記１つまたは複数の同期信号のいずれに同期するかを決定することと、
前記優先順位に基づいて前記１つまたは複数の同期信号の前記同期信号の第１の同期信号に同期することと、
前記第１のＵＥが前記第１の同期信号に同期されることを示す同期信号を送信することと、を備える、方法。
［Ｃ３０］
前記同期信号の前記優先度を示す前記情報は前記同期信号がＧＮＳＳ信号に基づくかどうかについての情報である、Ｃ２９の方法。